(57)【要約】【課題】溶融ガラスのロールアウト成形において、板幅を確保し、冷却による板幅の収縮やうねりの発生を抑えることができるような方法が求められている。【解決手段】溶融ガラス供給装置から流下する溶融ガラスを、対をなす二つのロール間で幅広に圧延成形する方法であって、該ロールが液体を内部に包含しうる材質または構造からなる基材からなり、対のロールを回転させながらロール間で液体の蒸気膜を介して幅広に溶融ガラスを成形するとともに、成形された溶融ガラスリボンを下方向へ送り出し、下方で前記ロール対を通過したガラスリボンの両端部をガイドロールで保持しながらガラスリボンを均一に冷却することを特徴とする溶融ガラスのロールアウト成形方法。【選択図】  図１
2010235355.tif 000002
【特許請求の範囲】
【請求項１】
溶融ガラス供給装置から流下する溶融ガラスを、対をなす二つのロール間で幅広に圧延成形する方法であって、該ロールが液体を内部に包含しうる材質または構造からなる基材からなり、対のロールを回転させながらロール間で液体の蒸気膜を介して幅広に溶融ガラスを成形するとともに、成形された溶融ガラスリボンを下方向へ送り出し、下方で前記ロール対を通過したガラスリボンの両端部をガイドロールで保持しながらガラスリボンを均一に冷却することを特徴とする溶融ガラスのロールアウト成形方法。
【請求項２】
前記ロール及びガイドロールを一対以上用いて前記ガラスリボンを挟持しながら成形することを特徴とする請求項１記載の溶融ガラスのロールアウト成形方法。
【請求項３】
蒸気膜を生成する液体が水であることを特徴とする、請求項１又は２記載の溶融ガラスのロールアウト成形方法。
【発明の詳細な説明】
【技術分野】
【０００１】
本発明は、ロールアウト方式による溶融ガラスのロールアウト成形方法に関する。
【背景技術】
【０００２】
溶融ガラスを板状に成形する方法としては、種々のものが知られている。特に普及しているものとして、スズフロート法、フュージョン法、ロールアウト法が挙げられる。
【０００３】
スズフロート法は、現在板ガラスの大量生産法として最も広く普及しているもので、溶融スズ上にガラスを浮かべて延伸成形される方法である。しかし、常温では固体である金属スズを常時溶融状態に保たなければならないため、窯の保温に要するエネルギーは莫大である。また、スズと溶融ガラス界面からガラス内にスズイオンが拡散し、ガラス品質に悪影響を及ぼすことがある。
【０００４】
フュージョン法は、耐火物成形体の両側面に沿って溶融ガラスを流下させ、成形体下部でガラスを合流させる方法である。この方法では、表面は非接触状態が保たれるため、高品質な板ガラスが得られる。しかし、耐火物と溶融ガラスの接触面に失透が生じた場合、連続的に欠陥が生じてしまうため、耐火物を交換しなければならず、ガラスの板幅が大きくなる程、この耐火物の製造コストは莫大になっている。また、失透を起こさないためには耐火物とガラス組成の相性を考慮する必要があることから、使用できるガラス組成は限定的となっている。
【０００５】
ロールアウト法は、一般に金属ロールにより溶融ガラスを挟み、成形するもので、スズフロート法、フュージョン法と比較して低コストで簡易な装置構成でガラス成形が行える長所がある。しかし、金属ロールとの接触により溶融ガラスが急冷されるため、成形されたガラスにロールとの接触痕、しわ、うねりが残ることが避けがたく、高品質な板ガラス製品を得るには研磨工程が不可欠である。
【０００６】
これらの状況を鑑みて、蒸気を発生させるロール基材を用いてガラスに搬送力を付与し、ロールアウト成形することでロール痕が残らない高品質ガラスを得る方法が提案されている(特許文献１参照)。
【先行技術文献】
【特許文献】
【０００７】
【特許文献１】特開２００１−１８０９４９号公報
【発明の概要】
【発明が解決しようとする課題】
【０００８】
前述した特開２００１−１８０９４９号公報に記載のものは、溶融ガラスの板幅を広げる方法について言及されていないため、何らかの方法で溶融ガラスを板状に広げた状態でロール間に流し込む必要がある。そのためには、溶融ガラス供給口を耐火物部材や白金若しくは白金を含む合金製の部材で幅広のスリット状に加工することが考えられるが、高コストな部材である上、これらに接触することで板ガラス表面の平滑性が失われる恐れがある。また、成形には複数のロール間でガラス進行方向に張力をかけて厚みを調整する方法が取られるが、ガラスの幅方向への張力がかからないため、ガラスが冷却されるにつれて板幅が収縮し、うねりの原因になる。
【課題を解決するための手段】
【０００９】
本発明は、溶融ガラス供給装置から流下する溶融ガラスを、対をなす二つのロール間で幅広に圧延成形する方法であって、該ロールが液体を内部に包含しうる材質または構造からなる基材からなり、対のロールを回転させながらロール間で液体の蒸気膜を介して幅広に溶融ガラスを成形するとともに、成形された溶融ガラスリボンを下方向へ送り出し、下方で前記ロール対を通過したガラスリボンの両端部をガイドロールで保持しながらガラスリボンを均一に冷却することを特徴とする溶融ガラスのロールアウト成形方法である。
【００１０】
また、前記ロール及びガイドロールを一対以上用いて前記ガラスリボンを挟持しながら成形することを特徴とする上記の溶融ガラスのロールアウト成形方法である。
【００１１】
さらに、蒸気膜を生成する液体が水であることを特徴とする、上記の溶融ガラスのロールアウト成形方法である。
【発明の効果】
【００１２】
本発明によれば、大きな設備を使用せずに、溶融ガラスの圧延成形が可能となり、冷却による板幅の収縮やうねりの発生を抑えることができる。
【発明を実施するための形態】
【００１３】
本発明は、溶融ガラス供給装置から流下する溶融ガラスを、対をなす二つのロール間で幅広に圧延成形する方法であって、該ロールが液体を内部に包含しうる材質または構造からなる基材からなり、対のロールを回転させながらロール間で液体の蒸気膜を介して幅広に溶融ガラスを成形するとともに、成形された溶融ガラスリボンを下方向へ送り出し、下方で前記ロール対を通過したガラスリボンの両端部をガイドロールで保持しながらガラスリボンを均一に冷却することを特徴とする溶融ガラスのロールアウト成形方法である。
【００１４】
図１は、本発明を行うための板状ガラス製品のロールアウト成形装置例を模式的に示した側面図であり、図２は正面図である。成形装置は表面に水を包含しうる基材を有する対をなすロール３とそれに液体を供給する装置４およびロールアウト後のガラスに一定の張力をかけつつ垂直方向に誘導するガイドロール５から成る。
【００１５】
ロールアウト成形装置の上には溶融ガラス供給装置１があり、原料から充分な時間をかけて溶解された溶融ガラス２を所望の温度で供給することのできる装置である。溶融ガラス２は対をなすロール３上に供給され、ロール３上で幅方向に広がる。ロール上で所望の幅に広げられた溶融ガラス２はロール３によって板状に成形されつつ、ロール３間を通り抜ける。
【００１６】
このとき、対を成すロール３は溶融ガラス供給装置１までの距離、ロール回転速度、ロール間隔を自由に設定できることが望ましく、また溶融ガラスＧの温度に応じてロール対を一対以上垂直方向に並べても構わない。
【００１７】
ロール表面の液体を内部に包含しうるロール基材については、材質は多孔質の無機材料、金属材料、炭素材料や紙、繊維質などが挙げられる。これらの材料に求められる特性は蒸気膜を介して受ける溶融ガラス２からの放射熱に対する耐熱性、回転するロール上で充分な量の液体を内部に保持することのできる含水量、吸水速度や表面の平坦度などである。
【００１８】
ロール基材への液体供給装置４は回転するロールに充分な量の液体を供給できる装置であり、図１、２に示すような水桶型のもの以外にもスプレー型やノズルフロー型などが考えられる。また、充分に液体を含んだロールをさらに一つ設置し、ロール３のどこかに接触させることでロール３の基材に液体を供給しても構わない。
【００１９】
ロール通過後の溶融ガラスは冷却による収縮を抑えるために、すぐにガイドロール５に両端を保持され、ガラスリボン６に成形される。このとき、ガイドロールの数は図１に示すような３対である必要はなく、ガラス温度に応じて1対以上設置するものとする。ガイドロールの位置は幅方向、高さ方向共に自由に設定できることが望ましく、ガイドロール回転速度も同様に自由に設定できることが望ましい。ガイドロールをかける位置は製品として使用したい板幅よりも外側であり、ガイドロール回転速度は溶融ガラスの流下速度に対して相対的に等しく設定する。
【００２０】
また、ガイドロールの材質は金属材料、無機材料、炭素材料などが挙げられるが、ガラスリボンの収縮を防ぐ目的から、単に挟むのではなく表面に凹凸を施すなど、保持力をもたらす形状であることが望ましい。さらに、ガイドロールは溶融ガラスに常に接触していることから、充分な耐熱性を有すると共に、ガラスに対して良好な離型性を有することが望ましい。
【図面の簡単な説明】
【００２１】
【図１】本発明を実施するための装置例の側面図である。
【図２】本発明を実施するための装置例の正面図である。
【符号の説明】
【００２２】
１：溶融ガラス供給装置
２：溶融ガラス
３：ロール
４：液体供給装置
５：ガイドロール
６：ガラスリボン
【図１】
2010235355.tif 000003
【図２】
2010235355.tif 000004